(57)【要約】【課題】マルチチャンネル光源を用いた画像形成装置でチャンネル毎に光源の露光量を調整するときに形成する調整用画像においてむらの確認が容易にでき、出力画像のむらを低減できるようにした露光量調整方法及び画像形成装置を提供する。【解決手段】この露光量調整方法は、マルチチャンネル光源により網点画像データに基づいてカラー感光材料に露光し画像を形成して出力する画像形成装置において露光量を調整する際に、調整用画像を通常露光時よりも低い濃度で露光し、その出力結果に基づいてチャンネル毎に光源の露光量を決定する。【選択図】  図７
2004334109.tif 000002
【特許請求の範囲】
【請求項１】
マルチチャンネル光源により網点画像データに基づいてカラー感光材料に露光し画像を形成して出力する画像形成装置における露光量の調整方法であって、
調整用画像を通常露光時よりも低い濃度で露光し、その出力結果に基づいてチャンネル毎に光源の露光量を決定することを特徴とする露光量調整方法。
【請求項２】
前記調整用画像は、１次色による画像に加えて、２次色による画像及び／又は３次色による画像を含むことを特徴とする請求項１に記載の露光量調整方法。
【請求項３】
前記調整用画像は、２次色による画像を、前記２次色を構成する１次色による２つの画像で挟むようにして主走査方向に並べて配置されていることを特徴とする請求項１または２に記載の露光量調整方法。
【請求項４】
マルチチャンネル光源により網点画像データに基づいてカラー感光材料に露光し画像を形成して出力する画像形成装置において、
前記光源の露光量の調整時にのみ通常よりも露光量を下げて露光するように構成したことを特徴とする画像形成装置。
【請求項５】
調整用画像データを一時保存するための画像メモリと、前記調整用画像データを生成して前記画像メモリに書き込む生成手段と、前記画像メモリに保存された画像データから画像の形成を指示する指示手段と、を備え、
前記調整用画像データから形成される前記調整用画像が前記光源のチャンネル識別用のパターンを含むように前記生成手段が前記調整用画像データを生成することを特徴とする請求項４に記載の画像形成装置。
【発明の詳細な説明】
【０００１】
【発明の属する技術分野】
本発明は、マルチチャンネル光源により網点画像を露光する画像形成装置における露光量調整方法及び画像形成装置に関するものである。
【０００２】
【従来の技術】
印刷工程においては印刷対象のカラー画像が形成された校正物（カラープルーフ）を作成して印刷物の仕上がりを事前に確認することが行われているが、このようなカラープルーフを作成するためのカラープルーフ作成装置（画像形成装置）では、印刷対象のカラー画像をＹ、Ｍ、Ｃ，Ｋの各色にデジタル化して色分解を行い、色分解した各色の網点画像データに基づいてレーザ光やＬＥＤ光等の光ビームによりカラー感光材料を露光して画像形成することでカラープルーフを作成している。
【０００３】
上述のような印刷分野のカラープルーフ作成のための画像形成装置では、マルチチャンネル光源により網点画像データに基づいてカラー感光材料を露光するようにしているが、各チャンネル毎の光源の露光量を調整する場合、単色べタを配置した調整用画像を、通常の露光時と同じ濃度で露光した出力結果を目視で確認することで、各チャンネル毎の光源の露光量を調整している。
【０００４】
しかし、マルチチャンネル光源により網点画像を露光しカラープルーフを作成する前にチャンネル毎に光源の露光量を調整する場合、従来の方法では、画像における微妙なむらをルーペ等を用いて目視で確認するために高度な熟練が必要とされていた。このため、チェックが不充分になると、画像出力時の画像にむらが発生してしまい易い。また、Ｃ、Ｍ、Ｙの各単色ごとのベタ画像による調整であるため、２次色及び３次色による画像（ＣＭ、ＭＹ、ＹＣ、ＣＭＹ）におけるむらを調整時にチェックできなかった。
【０００５】
下記特許文献１は、回転シリンダーに巻き付けられたカラー感光材料にマルチチャンネル露光ヘッドを用いて露光しカラー画像を形成する際に、光源の配置位置の差により生じる画像上のスジを除去または改善するようにマルチチャンネル露光ヘッドの各露光ビームの露光量を調節することを開示するが、上述のようなむらに対する解決手段を提供するものではない。
【０００６】
【特許文献１】
特開平０９−２１８４７４号公報
【０００７】
【発明が解決しようとする課題】
本発明は、上記従来技術の問題に鑑み、マルチチャンネル光源を用いた画像形成装置でチャンネル毎に光源の露光量を調整するときに形成する調整用画像においてむらの確認が容易にでき、出力画像のむらを低減できるようにした露光量調整方法及び画像形成装置を提供することを目的とする。
【０００８】
【課題を解決するための手段】
上記目的を達成するために、本発明による露光量調整方法は、マルチチャンネル光源により網点画像データに基づいてカラー感光材料に露光し画像を形成して出力する画像形成装置における露光量の調整方法であって、調整用画像を通常露光時よりも低い濃度で露光し、その出力結果に基づいてチャンネル毎に光源の露光量を決定することを特徴とする。
【０００９】
この露光量調整方法によれば、調整用画像を通常露光時よりも低い濃度で露光し出力した低濃度の画像に基づいて出力結果を判断する際に、低濃度の方がむらが目立ち易いため、むらの確認が容易となり、出力画像のむらを低減できる。また、特色による画像は、通常のプロセスカラーＣＭＹＫよりも低濃度となる場合が多いが、低濃度の画像で露光量を調整することで特色による画像の出力時のむらを低減できる。
【００１０】
上記露光量調整方法において前記調整用画像は１次色による画像に加えて２次色による画像及び／又は３次色による画像を含むことが好ましい。調整用画像に２次色による画像を含むことで、２次色による画像（ＣＭ、ＭＹ、ＹＣ）によりむらを調整でき、特に単色ではむらを確認し難い色（Ｙ）についても、２次色の画像部分でむらを容易に確認できる。また、調整用画像に３次色による画像（ＹＭＣ）を含むことで、３次色による画像によりむらを調整できる。
【００１１】
また、前記調整用画像は、２次色による画像を、前記２次色を構成する１次色による２つの画像で挟むようにして主走査方向に並べて配置されることが好ましい。これにより、２次色画像とそれを構成する単色画像とを並べて配置することで両方のむらを同時に確認しながら調整できる。例えば、Ｍ、ＭＣ、Ｃ、ＣＹ、Ｙ、ＹＭ、Ｍ、ＹＭＣ、Ｃのように配置する。
【００１２】
本発明による画像形成装置は、マルチチャンネル光源により網点画像データに基づいてカラー感光材料に露光し画像を形成して出力する画像形成装置において、前記光源の露光量の調整時にのみ通常よりも露光量を下げて露光するように構成したことを特徴とする。
【００１３】
この画像形成装置によれば、調整用画像を通常露光時よりも低い濃度で露光し出力した低濃度の画像に基づいて出力結果を判断する際に、低濃度の方がむらが目立ち易いため、むらの確認が容易となり、出力画像のむらを低減できる。また、特色による画像は、通常のプロセスカラーＣＭＹＫよりも低濃度となる場合が多いが、低濃度の画像で露光量を調整することで特色による画像の出力時のむらを低減できる。
【００１４】
上記画像形成装置において調整用画像データを一時保存するための画像メモリと、前記調整用画像データを生成して前記画像メモリに書き込む生成手段と、前記画像メモリに保存された画像データから画像の形成を指示する指示手段と、を備え、前記調整用画像データから形成される前記調整用画像が前記光源のチャンネル識別用のパターンを含むように前記生成手段が前記調整用画像データを生成することが好ましい。
【００１５】
上記構成により、チャンネル識別用のパターンにより露光量を調整すべきチャンネルの識別が容易となる。また、調整用画像を形成するための調整用画像データを装置内で生成することにより、露光チャンネルに合わせたチャンネル識別用のパターンを生成できる。なお、上述のように生成した調整用画像データは、画像メモリに保存することで、次回に使用するときは画像メモリから直接に読み出すことができ、その都度生成する必要はない。
【００１６】
本発明による画像形成装置は、上述のように構成され出力画像のむらを低減できるので、印刷分野のカラープルーフ等を作成するカラープルーフ作成装置に適用することができる。
【００１７】
【発明の実施の形態】
以下、本発明による実施の形態について図面を用いて説明する。図１は本実施の形態による画像形成装置全体の外観を示す斜視図である。図２は図１の画像形成装置の内部を正面側から見た図である。図３は図２の画像形成装置のドラム及び光学ユニットを上部から見た要部平面図である。
【００１８】
図１、図２に示すように、本実施の形態による画像形成装置１は、印刷出力対象の絵柄、色調、文章、文字等の確認を行うためのカラープルーフ（校正用サンプル）を作成するものであって、銀塩カラー感光材料（以下、単に「感光材料」ともいう。）に露光し画像を形成する露光部１１と、露光された感光材料を現像する現像部２１と、を備える。
【００１９】
露光部１１は、前面からメンテナンスできるように開閉可能な前面パネル５と、各種情報の表示とタッチパネルからなり装置全体の操作のために入力可能な表示部２と、内部にロール状の銀塩カラー感光材料である感光紙を収容したカートリッジ１３を給紙カバー３，４の開放後に装填可能な装填部１２，１２’と、を備える。図１では装填部１２，１２’にカートリッジ１３を装填する前、装填した後の状態を示している。
【００２０】
現像部２１は、メンテナンスのために開閉可能な上面パネル６と、前面には、現像処理液等の補充等のために開閉可能に設けられた補給パネル７と、を備える。
【００２１】
図２に示すように、画像形成装置１の露光部１１は、内部にロール状に巻かれたシート状の銀塩カラー感光材料である感光紙を収納した専用のカートリッジ１３を装填し収容する装填部１２，１２’と、装填部１２，１２’に装填されたカートリッジ１３から感光紙を給送する搬送ローラ対４０，４１，４２等からなる給送部１４と、給送部１４から給送された感光紙Ｓを外周面に真空吸引し保持しながら主走査のために回転方向Ｒに回転するドラム１０と、ドラム１０上の感光紙に対しＬＥＤ光やレーザ光等の光ビームを露光する光学ユニット１６と、光学ユニット１６を副走査のために副走査方向（図１の紙面垂直方向）Ｈ、Ｈ’（図３）に搬送する副走査部１７と、画像記録後のドラム１０上の感光紙を剥離する剥離部材１５と、を備える。露光後の感光紙は出口１９及び接続部１９ａを通して現像部２１へと搬送される。
【００２２】
図２の画像形成装置１は、更に、搬送ローラ対４２の下流側に配置されドラム１０に向けて送られる感光紙の搬送に従い従動回転する従動ローラ３１と、感光紙をドラム１０との間で搬送する従動ローラ３１と、ドラム１０上から剥離部材１５で剥離された感光紙をドラム１０と従動ローラ３１とで搬送するときに感光紙をガイドするアキュームガイド部材１８と、アキュームガイド部材１８で送られてきた感光紙を出口１９へと更に搬送する搬送ローラ対３２と、搬送ローラ対３２に達した感光紙をアキュームするためにアキュームガイド部材１８の一部が開放されることで形成されるアキュームレート部３０と、搬送ローラ対３２の下流側近傍に配置された感光紙の先端を検出する検出センサ３３と、を備える。
【００２３】
また、搬送ローラ対４２の下流側近傍に配置された比較的幅狭の従動ローラ４３は記録紙の移動とともに従動回転し、この従動ローラ４３と同軸にロータリエンコーダ（図示省略）が連結されている。このロータリエンコーダが従動ローラ４３とともに回転し回転量を測定することで搬送ローラ対４２を通過して回転ドラム１０に巻き付けられた感光紙の長さを求めることができる。また、下流側の搬送ローラ対３２は、ワンウェイクラッチ構造を有し、感光紙の下流側への送り出し方向への回転が自在となっている。
【００２４】
図２の搬送ローラ対４０，４１の下流側近傍には感光紙を切断するカット部１０ａがそれぞれ配置されており、各カット部１０ａはモータ（図示省略）により回転駆動されるロータリカッタを有し、上述の感光紙の長さ測定に基づいて感光紙を所定長さに切断する。
【００２５】
図２の現像部２１は、露光部１１から送られた露光後の感光紙について湿式現像を行うもので、感光紙の現像処理を行う現像部２３と、定着処理を行う定着部２４と、安定処理を行う安定部２５と、乾燥処理を行う乾燥部２６と、乾燥された感光紙を搬送ローラ対２７ａ等で外部に排出する排出部２７と、を備える。
【００２６】
図３のように、画像形成装置１のドラム１０は、回転軸部１４’の回転軸１４ａ及び回転軸部１８の回転軸１５ａが軸受３３ａ、３３ｂを介して支持台３４ａ、３４ｂに回転可能に軸支されている。ドラム１０の一方の回転軸１５ａには、駆動プーリ３５ａが設けられ、この駆動プーリ３５ａはドラム駆動用パルスモータＭ６の出力プーリ３５ｂとベルト３６により連結され、ドラム駆動用パルスモータＭ６の駆動によりドラム１０が回転する。また、ドラム１０の回転軸１５ａには、ロータリーエンコーダ３７が設けられ、回転のためのパルス信号を出力してドラムの回転に同期した画素クロック制御に用いる。
【００２７】
ドラム１０の他方の回転軸１４ａは吸引ブロアＰ１に連結されている。ドラム１０の表面には吸着孔３１ｃが回転軸方向に直線状に延びて多数形成されており、吸引ブロアＰ１の駆動によりドラム１０の内部が減圧されて感光紙がドラム１０の表面に吸着される。
【００２８】
光学ユニット１６は、副走査部１７によりドラム軸と平行に移動可能に構成され、ドラム１０に吸着された感光紙に光ビームで露光して画像の書き込みを行う。図３に示すように、光学ユニット１６には、異なる３波長の光源としてＬＥＤユニット３２０、ＬＥＤユニット３２１、ＬＥＤユニット３２２が配置されている。各ＬＥＤユニット３２０，３２１，３２２はそれぞれ３２チャンネル分の基板上に配置された発光ダイオード（ＬＥＤ）を備え、各ＬＥＤユニット３２０，３２１，３２２からの光ビームは、ミラー３２５、３２６、３２７を介して、集光レンズ３３１からドラム１０上の感光紙に画像を露光する。露光シャッタ３３２は露光ソレノイド３３３により開閉することで、露光開始／終了時に光路の開閉を行なう。
【００２９】
また、複数のＬＥＤユニット３２０，３２１，３２２は、例えば、それぞれ波長４５０ｎｍ程度のＢ（ブルー）、波長５４０ｎｍ程度のＧ（グリーン）、波長６５０ｎｍ程度のＲ（レッド）の各色を発光するように構成でき、各ＬＥＤユニットにより銀塩カラー感光材料を露光したとき、ＢによりＹ（イエロー）、ＧによりＣ（シアン）、ＲによりＭ（マゼンダ）がそれぞれ発色するようになる。
【００３０】
光学ユニット１６は、移動ベルト３４０に固定され、一対のガイドレール３４１、３４２に案内されてドラム軸と平行方向の副走査方向Ｈ及びその反対の副走査方向Ｈ’に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学ユニット１６がドラム軸と平行に副走査方向Ｈ、Ｈ’に移動する。
【００３１】
図３に示すように、吸引ブロアＰ１は空気吸引ポンプにより吸引連結管５１を通してドラム１０内を吸引し、露光部１１による露光開始前にドラム１０内を負圧にし感光紙を外周面に吸着する。
【００３２】
次に、各ＬＥＤユニット３２０〜３２２について更に図４を参照して説明する。図４は図３の複数のＬＥＤユニット３２０〜３２２により構成される３２チャンネル分の光源からの光ビームが並んだ状態を拡大して示す平面図である。
【００３３】
複数のＬＥＤユニット３２０〜３２２は、各３２チャンネル分のＬＥＤから光ビームが図３の集光レンズ３３１から出射すると、図４のように左端のチャンネル５９ａから右端のチャンネル５９ｂまでの３２チャンネル分の光ビーム５９がドラム１０上の感光紙を同時に照射し、このとき、各チャンネル５９ａ〜５９ｂから波長の異なるＢ、Ｇ、Ｒの複数の光ビームを出射できるマルチチャンネル光源を構成する。なお、図４のように、光源の各チャンネル５９ａ〜５９ｂは副走査方向Ｈにほぼ平行に並んでいるが、副走査方向Ｈに対し傾斜するように並べてもよい。
【００３４】
図５に図１〜図４の画像形成装置１の露光部１１における画像データの流れ及び画像形成装置１の制御系のブロック図を示す。
【００３５】
図４に示すように、図１〜図３の画像形成装置１は、カラープルーフを作成するために外部の画像処理装置であるＲＩＰ（Ｒａｓｔｅｒ  Ｉｍａｇｅ  Ｐｒｏｃｅｓｓｏｒ）４９でラスターデータから網点画像データを作成し、この網点画像データがＲＩＰ４９から露光部１１に転送されるようになっている。
【００３６】
露光部１１は、図５のように、外部のＲＩＰ４９からの網点画像データが入力する画像データＩ／Ｆ部５２と、画像データＩ／Ｆ部５２からの網点画像データをいったん記憶し随時出力するハードディスク記憶装置等からなる画像メモリであるデータバッファ５３と、データバッファ５３からの網点画像データに基づいて感光紙に対する露光のための露光データを作成するルックアップテーブル５４と、ルックアップテーブル５４からの露光データのデジタル信号をアナログ信号に変換するＢ、Ｇ、Ｒの各ＬＥＤユニット３２０〜３２２に対応した複数のＤ／Ａ変換部５５ａ，５５ｂ，５５ｃと、Ｄ／Ａ変換部５５ａ〜５５ｃからの各アナログ信号により各ＬＥＤユニット３２０〜３２２の各ＬＥＤを直接にアナログ変調しドライブする複数のドライバ５６ａ，５６ｂ，５６ｃと、調整用画像を露光するための調整用画像データを生成する調整用画像データ生成部６０と、を備える。
【００３７】
図５の制御部５０は、中央演算処理装置（ＣＰＵ）等から構成され、画像データＩ／Ｆ部５２、データバッファ５３、ルックアップテーブル５４、調整用画像データ生成部６０及び他の装置部分を制御する。
【００３８】
図６に調整用画像の例を示す。図６（ａ）は、Ｍ、ＭＣ、Ｃ、ＣＹ、Ｙ、ＹＭ、Ｍ、ＹＭＣ、Ｃの順に並べて形成した調整用画像を示す図であり、図６（ｂ）乃至（ｉ）は、図６（ａ）のＭによる画像における光源のチャンネル識別用の複数のパターンを拡大して示す図である。
【００３９】
図６（ａ）に示すように、調整用画像は、主走査方向Ｓの上流側から、Ｍによる１次色画像、ＭＣによる２次色画像、Ｃによる１次色画像、ＣＹによる２次色画像、Ｙによる１次色画像、ＹＭによる２次色画像、Ｍによる１次色画像、ＹＭＣによる２次色画像、Ｃによる２次色画像の順に並べて形成し、２次色画像とそれを構成する単色画像とを並べて配置することで両方のむらを同時に確認しながら露光量の調整ができるようになっている。また、単色ではむらを確認し難い色（Ｙ）についても、Ｙを含む２次色画像でむらを比較的容易に確認できる。
【００４０】
また、Ｍによる１次色画像は、図６（ａ）のように、ベタ画像領域８１と、マルチチャンネル光源のチャンネル識別用のパターンが多数形成されるパターン領域８２を含む。パターン領域８２には、図６（ｂ）乃至（ｉ）にチャンネル番号を示しているように、チャンネル１〜３２にそれぞれ対応したチャンネル識別用のパターンが主走査方向Ｓに多層に形成されている。
【００４１】
ベタ画像領域８１を観察することで画像むらの有無を確認し、またパターン領域８２の各パターンをルーペ等で観察することで露光量を調整すべきチャンネルの識別が容易となる。これらの観察結果に基づいて各チャンネル５９ａ〜５９ｂの露光量を調整できる。各チャンネルの露光量の調整は、例えば、制御部５０が有する露光量バランス補正係数を書き換えることにより行うことができる。この露光量バランス補正係数は制御部５０がルックアップテーブル５４を設定する際に露光データを補正するための係数である。
【００４２】
また、Ｍによる１次色画像と同様に、ＭＣによる２次色画像、Ｃによる１次色画像等の他の調整用画像も、ベタ画像領域と、マルチチャンネル光源のチャンネル識別用のパターンが多数形成されるパターン領域とを含んでいる。
【００４３】
制御部５０は、図６（ａ）のような調整用画像を露光するときに、調整用画像データ生成部６０で調整用画像データを生成し、またルックアップテーブル５４を書き換え、この生成した調整用画像データに基づいてルックアップテーブル５４で露光データを作成するように制御するが、このとき、書き換えられたルックアップテーブル５４は通常露光時よりも低い濃度で露光するように露光データを作成するようになっている。
【００４４】
また、図６（ｂ）乃至（ｉ）のようなチャンネル識別用のパターンを形成するための調整用画像データは装置内で生成されることで、チャンネル１〜３２にそれぞれ対応したパターンを形成できる。
【００４５】
また、制御部５０は、生成した調整用画像データをハードディスク記憶装置等のデータバッファ５３に記憶しておき、その調整用画像データは次回の使用時にはデータバッファ５３から読み出して使用する。
【００４６】
次に、図１乃至図６の画像形成装置１における露光量調整の動作について図７のフローチャートを参照して説明する。
【００４７】
まず、図５の制御部５０は、調整用画像データ生成部６０で調整用画像データを生成し（Ｓ０１）、ルックアップテーブル５４を書き換える（Ｓ０２）。この生成した調整用画像データは画像メモリのデータバッファ５３に記憶させ（Ｓ０３）、次回に使用するときはデータバッファ５３から直接読み出すことができ、その都度生成する必要がなくなる。
【００４８】
上述のように生成した調整用画像データに基づいてルックアップテーブル５４で露光データを作成する（Ｓ０４）。一方、装填部１２または１２’から感光紙を搬送ローラ対４０〜４２等でドラム１０に向けて搬送する（Ｓ０５）。そして、カット部１０ａで所定長さに切断した感光紙をドラム１０に巻き付け吸引ブロアＰ１を作動して吸引により保持した状態で、光学ユニット１６からの光ビームで露光を開始し、図６（ａ）のような調整用画像を感光紙に露光する（Ｓ０６）。このとき、調整用画像は通常の露光時よりも低い濃度で露光する。
【００４９】
次に、露光が終了すると、露光により感光した感光紙をドラム１０から剥離部材１５で剥離し、搬送ローラ対３２等で出口１９へと搬送し（Ｓ０７）、現像部２１に接続部１９ａから送り、感光紙の現像処理を行ってから（Ｓ０８）、排出部２８へと排出する（Ｓ０９）。
【００５０】
上述のようにして出力した感光紙に形成された図６（ａ）のような調整用画像について観察し、その出力結果が良好でない場合には、チャンネル毎に露光量を調整し（Ｓ１１）、ステップＳ０５に戻り、同じ調整用画像を再度形成し、その出力結果により露光量の調整が良好に行われたか否かを判断する。
【００５１】
以上のように、本実施の形態による画像形成装置によれば、調整用画像を通常の画像よりも低濃度となるように形成するが、低濃度の画像の方がむらが目立ちやすいため、むらの確認が容易となり、この確認結果に基づいて露光量を良好に調整できるので、出力画像のむらを低減できる。また、特色による画像は、通常のプロセスカラーＣＭＹＫよりも低濃度となる場合が多いが、低濃度の画像で露光量を調整することで特色による画像の出力時のむらを低減できる。
【００５２】
また、チャンネルの識別用パターンにより露光量を調整すべきチャンネルの識別が容易となり、露光量の調整が容易となる。
【００５３】
また、ＲＩＰ等の画像処理装置で調整用画像を生成すると、余白・ファイル情報等が画像に付加される場合があり、チャンネルとチャンネル識別用パターンが一致しない可能性があるが、調整用画像を画像形成装置内で生成することで、チャンネルに合わせたチャンネル識別用のパターンを生成できる。
【００５４】
以上のように本発明を実施の形態により説明したが、本発明はこれらに限定されるものではなく、本発明の技術的思想の範囲内で各種の変形が可能である。例えば、本発明による画像形成装置はカラープルーフの作成以外にも適用できることは勿論である。
【００５５】
また、光源のチャンネル数は、３２チャンネルとして説明したが、本発明はこれに限定されず、１６チャンネルや６４チャンネル、１２８チャンネルのように、適宜増減することができる。
【００５６】
【発明の効果】
本発明の露光量調整方法及び画像形成装置によれば、マルチチャンネル光源を用いた画像形成装置でチャンネル毎に光源の露光量を調整するときに形成する調整用画像においてむらの確認が容易にでき、露光量を良好に調整できるので、出力画像のむらを低減できる。
【図面の簡単な説明】
【図１】本実施の形態による画像記録装置全体の外観を示す斜視図である。
【図２】図１の画像記録装置の内部を正面側から見た図である。
【図３】図２の画像記録装置のドラム及び光学ユニットを上部から見た要部平面図である。
【図４】図３の複数のＬＥＤユニット３２０〜３２２により構成される３２チャンネル分の光源からの光ビームが並んだ状態を拡大して示す平面図である。
【図５】図１〜図３の画像記録装置１の露光部１１における画像データの流れ及び画像記録装置１の制御系を示す図である。
【図６】図６（ａ）は、Ｍ、ＭＣ、Ｃ、ＣＹ、Ｙ、ＹＭ、Ｍ、ＹＭＣ、Ｃの順に並べて形成した調整用画像を示す図であり、図６（ｂ）乃至（ｉ）は、図６（ａ）のＭによる画像における光源のチャンネル識別用の複数のパターンを拡大して示す図である。
【図７】図１乃至図６の画像形成装置１における露光量調整の動作を説明するためのフローチャートである。
【符号の説明】
１・・・画像記録装置
２・・・表示部
１０・・・回転ドラム
１６・・・光学ユニット
５０・・・制御部
５９・・・３２チャンネル分の光ビーム
５９ａ〜５９ｂ・・・チャンネル
８１・・・ベタ画像領域
８２・・・パターン領域
３２０，３２１，３２２・・・ＬＥＤユニット
Ｓ・・・感光紙（銀塩カラー感光材料）
【図１】
2004334109.tif 000003
【図２】
2004334109.tif 000004
【図３】
2004334109.tif 000005
【図４】
2004334109.tif 000006
【図５】
2004334109.tif 000007
【図６】
2004334109.tif 000008
【図７】
2004334109.tif 000009